【事件の表示】
　特許第３３０５４５０号「走査光学ユニット」の請求項１、２に係る特許に対する特許異議の申立てについて、次のとおり決定する。
【結　論】
　訂正を認める。
　特許第３３０５４５０号の請求項１、２に係る特許を維持する。
【理　由】
１．手続の経緯
　特許第３３０５４５０号の請求項１及び２に係る発明についての出願は、平成５年９月２０日に特許出願され、平成１４年５月１０日にその発明について特許の設定登録がなされ、その後、その特許について、異議申立人岡林茂より特許異議の申立てがなされ、取消理由が通知され、その指定期間内である平成１５年５月３０日に訂正請求がなされたものである。
　　　
２．訂正の適否についての判断
ア．訂正の内容
ａ．特許請求の範囲の
　「【請求項１】　光源と、振動源と、光路中に固定された反射光学素子とを含む露光光学系を、一体的に成形された光学系ハウジングに収納した走査光学ユニットにおいて、
　前記振動源の前記光学系ハウジングに対する固定部が、前記光学系ハウジングを画像形成装置本体のハウジング取付部分に固定するための複数の固定箇所を結んで囲んだエリアの外側に設定されているとともに、
　前記光源および前記反射光学素子をそれぞれ前記エリアの外側で前記ハウジングに対して固定していること、
　を特徴とする走査光学ユニット。
　【請求項２】　光源と、前記光源から射出されたレーザビームを偏向走査するための回転偏向器と、光路中に固定された反射光学素子とを含むレーザビーム光学系を、一体的に成形された光学系ハウジングに収納した走査光学ユニットにおいて、
　前記回転偏向器の前記光学系ハウジングに対する固定部が、前記光学系ハウジングを画像形成装置本体のハウジング取付部分に固定するための複数の固定箇所を結んで囲んだエリアの外側に設定されているとともに、
　前記光源および前記反射光学素子をそれぞれ前記エリアの外側で前記ハウジングに対して固定していること、
　を特徴とする走査光学ユニット。」
を
　「【請求項１】　光源と、振動源と、光路中に固定された反射光学素子とを含む露光光学系を、一体的に成形された光学系ハウジングに収納した走査光学ユニットにおいて、
　前記振動源の前記光学系ハウジングに対する固定部が、前記光学系ハウジングを画像形成装置本体のハウジング取付部分に固定するための複数の固定箇所を結んで囲んだエリアの外側に設定されているとともに、
　前記光源および前記反射光学素子をそれぞれ前記エリアの外側で前記ハウジングに対して固定し、
　前記固定箇所において前記ハウジングは前記ハウジング取付部分にねじによって固定されており、前記ハウジングに形成したねじ用穴の開口縁部に設けられた複数の突起が前記ハウジング取付部分に点接触していること、
を特徴とする走査光学ユニット。
　【請求項２】　光源と、前記光源から射出されたレーザビームを偏向走査するための回転偏向器と、光路中に固定された反射光学素子とを含むレーザビーム光学系を、一体的に成形された光学系ハウジングに収納した走査光学ユニットにおいて、
　前記回転偏向器の前記光学系ハウジングに対する固定部が、前記光学系ハウジングを画像形成装置本体のハウジング取付部分に固定するための複数の固定箇所を結んで囲んだエリアの外側に設定されているとともに、
　前記光源および前記反射光学素子をそれぞれ前記エリアの外側で前記ハウジングに対して固定し、
　前記固定箇所において前記ハウジングは前記ハウジング取付部分にねじによって固定されており、前記ハウジングに形成したねじ用穴の開口縁部に設けられた複数の突起が前記ハウジング取付部分に点接触していること、
を特徴とする走査光学ユニット。」
と訂正する。
ｂ．明細書の段落【０００４】の
　「【課題を解決するための手段と作用】
　以上の課題を解決するため、本発明に係る走査光学ユニットは、振動源の光学系ハウジングに対する固定部が、光学系ハウジングを画像形成装置本体のハウジング取付部分に固定するための複数の固定箇所を結んで囲んだエリアの外側に設定されているとともに、光源および反射光学素子をそれぞれ前記エリアの外側で光学系ハウジングに対して固定していることを特徴とする。ここに、振動源としては例えば回転偏向器、光学部品を移動させるためのモータ等がある。」
を
　「【課題を解決するための手段と作用】
　以上の課題を解決するため、本発明に係る走査光学ユニットは、振動源の光学系ハウジングに対する固定部が、光学系ハウジングを画像形成装置本体のハウジング取付部分に固定するための複数の固定箇所を結んで囲んだエリアの外側に設定されているとともに、光源および反射光学素子をそれぞれ前記エリアの外側で光学系ハウジングに対して固定し、前記固定箇所において前記ハウジングは前記ハウジング取付部分にねじによって固定されており、前記ハウジングに形成したねじ用穴の開口縁部に設けられた複数の突起が前記ハウジング取付部分に点接触しているていることを特徴とする。ここに、振動源としては例えば回転偏向器、光学部品を移動させるためのモータ等がある。」
と訂正する。
イ．訂正の目的の適否、新規事項の有無及び拡張・変更の存否
　上記訂正事項ａにおいて、請求項１についての訂正は、願書に添付した明細書（特許明細書）の段落【００１１】の記載に基づいて光学系ハウジングの固定箇所における固定形態について限定するものであるから、特許請求の範囲の減縮を目的とするものに該当し、新規事項を追加するものではなく、また、実質上特許請求の範囲を拡張し、又は変更するものでもない。
　また、請求項２についての訂正も、同様に特許明細書の段落【００１１】の記載に基づいて光学系ハウジングの固定箇所における固定形態について限定するものであるから、特許請求の範囲の減縮を目的とするものに該当し、新規事項を追加するものではなく、また、実質上特許請求の範囲を拡張し、又は変更するものでもない。
　上記訂正事項ｂは、訂正事項ａとの整合を図るために、特許明細書の段落【００１１】の記載に基づいて段落【０００４】を訂正するものであるから、明りょうでない記載の釈明を目的とするものに該当し、新規事項を追加するものではなく、また、実質上特許請求の範囲を拡張し、又は変更するものでもない。
ウ．むすび
　以上のとおりであるから、上記訂正は、平成１１年改正前の特許法第１２０条の４第２項の規定及び第３項において準用する平成６年法律第１１６号による改正前の特許法第１２６条第１項ただし書き及び第２項の規定に適合するので、当該訂正を認める。
　　　
３．特許異議の申立てについて
ア．本件発明
　平成１５年５月３０日付けで訂正された訂正明細書の請求項１及び２に係る発明（以下、それぞれ「本件発明１」及び「本件発明２」という）は、その特許請求の範囲の請求項１及び２に各々記載されたとおりの次のものである。
　「【請求項１】　光源と、振動源と、光路中に固定された反射光学素子とを含む露光光学系を、一体的に成形された光学系ハウジングに収納した走査光学ユニットにおいて、
　前記振動源の前記光学系ハウジングに対する固定部が、前記光学系ハウジングを画像形成装置本体のハウジング取付部分に固定するための複数の固定箇所を結んで囲んだエリアの外側に設定されているとともに、
　前記光源および前記反射光学素子をそれぞれ前記エリアの外側で前記ハウジングに対して固定し、
　前記固定箇所において前記ハウジングは前記ハウジング取付部分にねじによって固定されており、前記ハウジングに形成したねじ用穴の開口縁部に設けられた複数の突起が前記ハウジング取付部分に点接触していること、
を特徴とする走査光学ユニット。
　【請求項２】　光源と、前記光源から射出されたレーザビームを偏向走査するための回転偏向器と、光路中に固定された反射光学素子とを含むレーザビーム光学系を、一体的に成形された光学系ハウジングに収納した走査光学ユニットにおいて、
　前記回転偏向器の前記光学系ハウジングに対する固定部が、前記光学系ハウジングを画像形成装置本体のハウジング取付部分に固定するための複数の固定箇所を結んで囲んだエリアの外側に設定されているとともに、
　前記光源および前記反射光学素子をそれぞれ前記エリアの外側で前記ハウジングに対して固定し、
　前記固定箇所において前記ハウジングは前記ハウジング取付部分にねじによって固定されており、前記ハウジングに形成したねじ用穴の開口縁部に設けられた複数の突起が前記ハウジング取付部分に点接触していること、
を特徴とする走査光学ユニット。」
イ．申立ての理由の概要
　特許異議申立人岡林茂は、甲第１号証及び参考文献１を提出して、訂正前の請求項１及び２に係る発明は、甲第１号証刊行物に記載された発明に基づいて当業者が容易に発明をすることができたものであるから、特許法第２９条第２項の規定により特許を受けることができず、その特許は取り消されるべきものである旨主張する。
ウ．刊行物に記載の発明
　特許異議申立人岡林茂が提出した甲第１号証及び参考文献１の各刊行物には次の記載がある。
実願平３−１０１９３０号（実開平５−４５６２１号公報）の全文公開明細書（甲第１号証：以下、「刊行物１」という）
　「本考案は・・・・反射ミラーの傾斜角の微調整作業をハウジングのカバーを付けたままの状態で行うことができるようにして、調整後に前記反射ミラーの傾斜角が狂うことを防止することができると共に、調整作業者がレーザー光の照射を受けることを防止することができる光学系の反射ミラー角度調整構造を提供することを目的とする。」（段落【０００６】）
　「・・・・図６は本考案による反射ミラーの角度調整構造が適用されるレーザー走査装置のハウジング内の部品配置を示す平面図であり、図６において３０はレーザー走査装置のハウジングである。このハウジング３０の上部は開口されており、前記レーザー走査装置の組み立て終了後において前記ハウジング３０の上部にはカバー４０（図７）が覆設されるようになっている。
　　　【０００９】
　ところで、前記ハウジング３０の底面３１には図６に示すように、レーザー光を出力するレーザー光発光装置５１から出力されたレーザー光Ｌを走査方向に反射させるポリゴンミラー５２、該レーザー光Ｌを集束させるためのｆθレンズ５３、及び、該ｆθレンズ５３にて集束されたレーザー光Ｌを不図示の感光ドラムの方向に反射する反射ミラー５４等が取り付けてあり、・・・・」（段落【０００８】〜【０００９】）
　また、図６に、レーザー走査装置のハウジングとその内部の部品配置が平面図で示されており、この図と、ハウジングの固定部を結んだ線を付加した添付の参考図とから、レーザー光発光装置、ポリゴンミラー５２の回転軸、反射ミラー５４がハウジングの固定部を結んだエリア外に配置されていることが見てとれる。
特開平５−６０９９１号公報（参考文献１：以下、「刊行物２」という）
　走査光学装置を本体のケース取付台に固定する際に、光源と第１の結像光学系と偏向器と第２の結像光学系とを３つの固定点を結ぶ三角形内に収容して、ケースを取付台に三点固定することにより、偏向器の高速回転による振動に伴う画像ブレがないようにできる旨記載されている。（段落【００１０】、【００１１】、【００２５】、図１参照）
エ．対比、判断
　本件発明１と刊行物１に記載のものとを対比すると、刊行物１に記載のものにおける「ハウジング３０」、「レーザー光発光装置５１」、「ポリゴンミラー５２」、「反射ミラー５４」は、それぞれ本件発明１における「光学系ハウジング」、「光源」、「振動源」、「反射光学素子」に相当し、刊行物１に記載のものにおいて、レーザー光発光装置、ポリゴンミラー５２の回転軸、反射ミラー５４がハウジングの固定部を結んだエリア外に配置されているから、本件発明１と刊行物１に記載のものとは、次の点において相違するほかは一致する。
［相違点］
　本件発明において、固定箇所においてハウジングはハウジング取付部分にねじによって固定されており、ハウジングに形成したねじ用穴の開口縁部に設けられた複数の突起がハウジング取付部分に点接触しているのに対し、刊行物１においては、ハウジング３０の本体への取付けに関して明記していない点。
　そこで、上記相違点について検討すると、刊行物１に記載のものにおけるハウジングを本体に取付ける際に、ハウジングを取付部分にねじによって固定することは周知の事項であると言えるが、その際にハウジングに形成したねじ用穴の開口縁部に複数の突起を形成して、この突起が取付部分に点接触するようにすることは、単に一般的に固定手段としてねじを用いることが周知であるのと同様の意味で周知であるとは言えず、この点については刊行物１には、記載されておらず、示唆するところもない。また、刊行物２においても、この点について記載も示唆もない。
　しかるに本件発明１は、この点を含む構成により明細書に記載の格別な作用効果を奏するものであるから、刊行物１に記載された発明に基づいて当業者が容易に発明をすることができたものではない。
　次に、本件発明２と刊行物１に記載のものとを対比すると、両者は本件発明１と刊行物１に記載のものとの上記相違点をやはり有するから、本件発明２は刊行物１に記載された発明に基づいて当業者が容易に発明をすることができたものではない。
オ．むすび
　以上のとおりであるから、特許異議申立ての理由及び証拠によっては、本件発明１及び２についての特許を取り消すことはできない。
　また、他に本件発明１及び２についての特許を取り消すべき理由を発見しない。
　よって、結論のとおり決定する。
【異議決定日】
平成１６年２月１３日（２００４．２．１３）
【訂正の要旨】
審決（決定）の【理由】欄参照。
（５４）【発明の名称】
走査光学ユニット
（５７）【特許請求の範囲】
　【請求項１】　光源と、振動源と、光路中に固定された反射光学素子とを含む露光光学系を、一体的に成形された光学系ハウジングに収納した走査光学ユニットにおいて、
　前記振動源の前記光学系ハウジングに対する固定部が、前記光学系ハウジングを画像形成装置本体のハウジング取付部分に固定するための複数の固定箇所を結んで囲んだエリアの外側に設定されているとともに、
　前記光源および前記反射光学素子をそれぞれ前記エリアの外側で前記ハウジングに対して固定
し、
　
前記固定箇所において前記ハウジングは前記ハウジング取付部分にねじによって固定されており、前記ハウジングに形成したねじ用穴の開口縁部に設けられた複数の突起が前記ハウジング取付部分に点接触していること、
　を特徴とする走査光学ユニット。
　【請求項２】　光源と、前記光源から射出されたレーザビームを偏向走査するための回転偏向器と、光路中に固定された反射光学素子とを含むレーザビーム光学系を、一体的に成形された光学系ハウジングに収納した走査光学ユニットにおいて、
　前記回転偏向器の前記光学系ハウジングに対する固定部が、前記光学系ハウジングを画像形成装置本体のハウジング取付部分に固定するための複数の固定箇所を結んで囲んだエリアの外側に設定されているとともに、
　前記光源および前記反射光学素子をそれぞれ前記エリアの外側で前記ハウジングに対して固定
し、
　
前記固定箇所において前記ハウジングは前記ハウジング取付部分にねじによって固定されており、前記ハウジングに形成したねじ用穴の開口縁部に設けられた複数の突起が前記ハウジング取付部分に点接触していること、
　を特徴とする走査光学ユニット。
【発明の詳細な説明】
　【０００１】
　【産業上の利用分野】
　本発明は、プリンタ、デジタル複写機あるいはファクシミリ等に使用される走査光学ユニットに関する。
　【０００２】
　【従来の技術と課題】
　一般に、走査光学ユニットは、一体的に成形された光学系ハウジングを本体のハウジング取付部にねじ等で複数箇所固定することにより、プリンタ等に組み込まれる。そして、走査光学ユニットの一構成品である回転偏向器は、光学系ハウジングに対する固定部が、ねじ等による複数の固定箇所を結んで囲んだエリア（以下、拘束エリアとする）の内側に設定されていた。しかしながら、この構造では、回転偏向器を高速で回転させたり、あるいは安価な軸受けを用いた回転偏向器を採用したりすると、回転偏向器の振動が拘束エリア内に発生して他の光学部品を強制的に振動させ、画像にピッチムラやジッタ等を発生させるという問題があった。この問題は、回転偏向器の光学系ハウジングに対する固定部が拘束エリアの内側に設定されている限り、他の光学部品がこのエリアの内側に固定されているか、あるいは外側に固定されているかに関係なく生じる。
　【０００３】
　そこで、本発明の課題は、露光光学系の振動源の振動に起因した画像のピッチムラやジッタが発生しない走査光学ユニットを提供することにある。
　【０００４】
　【課題を解決するための手段と作用】
　以上の課題を解決するため、本発明に係る走査光学ユニットは、振動源の光学系ハウジングに対する固定部が、光学系ハウジングを画像形成装置本体のハウジング取付部分に固定するための複数の固定箇所を結んで囲んだエリアの外側に設定されているとともに、光源および反射光学素子をそれぞれ前記エリアの外側で光学系ハウジングに対して固定
し、前記固定箇所において前記ハウジングは前記ハウジング取付部分にねじによって固定されており、前記ハウジングに形成したねじ用穴の開口縁部に設けられた複数の突起が前記ハウジング取付部分に点接触していること
　【０００５】
　以上の構成において、振動源の光学系ハウジングに対する固定部が、光学系ハウジングを画像形成装置本体のハウジング取付部分に固定するための複数の固定箇所を結んで囲んだエリアの外側に設定されているため、振動源は片持ちばりに配置されたと同様の状態になる。片持ちばりの自由端側は変位が自由であり、振動源の振動は減衰し易く、持続しにくい。従って、他の光学部品の振動が少なくなる。
　【０００６】
　【実施例】
　以下、本発明に係る走査光学ユニットの実施例について添付図面を参照して説明する。
　［第１実施例、図１〜図７参照］
　図１及び図２に示した走査光学ユニット２０は、概略、レーザダイオードとコリメータレンズを組み込んだ光源アッセンブリ１、シリンドリカルレンズ部２、回転偏向器３、複数のレンズの組み合わせからなるｆθレンズ５、長尺シリンドリカルレンズ６、折り返しミラー７，８で構成されている。以上の部品はハウジング１０に搭載されている。
　【０００７】
　光源アッセンブリ１のレーザダイオードは画像情報に基づいてオン、オフ制御され、オン時にレーザビームが光源アッセンブリ１から射出される。光源アッセンブリ１から射出されたレーザビームはシリンドリカルレンズ部２を透過した後、回転偏向器３に導かれる。回転偏向器３は矢印ａ方向へ一定速度で回転駆動され、この回転に基づいてレーザビームは回転偏向器の回転軸と垂直な一平面内で等角速度に偏向され、ｆθレンズ５、折り返しミラー７、長尺シリンドリカルレンズ６、折り返しミラー８を透過あるいは反射して、ハウジング１０の底面に形成したスリット１１から感光体ドラム（図示せず）上に結像する。
　【０００８】
　以上の構成からなる走査光学ユニット２０は、本体のハウジング取付け部である２本の梁３０，３１にねじ３３，３４，３５にて固定されている。梁３０、３１は剛性を高めるためにコの字形状に折り曲げ加工されている。従来、走査光学ユニット２０をのせる部材は、ユニット２０と同等の面積か、あるいはそれ以上の面積の板材が採用されていた。しかし、梁３０，３１を採用することにより、機器のコンパクト化が図れ、製造コストが安価になる。また、組立て作業がし易くなり、走査光学ユニット２０の底面からの放熱性も向上する。
　【０００９】
　ねじ３３〜３５による固定箇所を結んで囲んだ三角形の拘束エリア４０の内側に、ｆθレンズ５と長尺シリンドリカルレンズ６と折り返しミラー８が、ハウジング１０にねじ留めされた板ばね等の金属片１２ａ〜１５ｂのばね力によって固定されている。
　一方、回転偏向器３は、ポリゴンミラーとポリゴンミラーを回転させるためのポリゴンモータからなっており、ポリゴンモータの回転軸３ａを支える軸受け部分が、拘束エリア４０の外側においてハウジング１０に固定されている。すなわち、回転偏向器３の軸受け部分が拘束エリア４０の外側に固定されることにより、回転偏向器３は片持ちばりに配置されたと同様の状態になる。片持ちばりの自由端側、即ち、ねじ３４，３５にて固定された箇所を結ぶ一点鎖線４０ａに対して矢印Ｘ方向の側は変位が自由であるため、回転偏向器３の振動は減衰し易く、持続しにくい。一方、他の光学部品１〜８は、回転偏向器３の振動の影響がより少なくなるように片持ちばりの固定端側、即ち、一点鎖線４０ａに対して矢印Ｙ方向の側に配置されている。この結果、回転偏向器３を高速回転させても、光学部品１〜８の振動は少なくてすむ。
　同様に、光源アッセンブリ１および折り返しミラー７も、拘束エリア４０の外側においてハウジング１０に固定されている。つまり、光源アッセンブリ１および折り返しミラー７も片持ちばりに配置されている。
　【００１０】
　また、回転偏向器３の振動により、ハウジング１０に変形が生じる場合、従来のように拘束エリア内に回転偏向器３の軸受け部分が固定されていると、変形が拘束エリア内に生じるため拘束エリア内に固定された他の光学部品の位置関係がずれ、画像のピッチムラやジッタ等が大きくなるという問題があった。しかし、第１実施例の走査光学ユニット２０では、ハウジング１０の変形が片持ちばりの自由端側において生じ、片持ちばりの固定端側においては生じないので、他の光学部品１〜８の位置関係がずれることもなく、画像のピッチムラやジッタ等の問題も生じない。
　【００１１】
　図３に示すように、ハウジング１０は梁３０とステンレス等からなる当て板３８にて挟み込まれた状態で、ねじ３３によって梁３０に固定されている。ハウジング１０のねじ用穴１０ａの上下開口縁部にはそれぞれ等間隔に３個の突起１０ｂが設けられ、梁３０の上面には突起１０ｂとの滑り性に優れた樹脂材３０ａが設けられている。突起１０ｂは樹脂材３０ａ及び当て板３８に点接触している。同様に、ねじ３４，３５によって固定されている箇所も同様の固定構造をしている。
　【００１２】
　この固定構造は、ハウジング１０や梁３０，３１に熱等のストレスが加わった場合、突起１０ｂと樹脂材３０ａの間及び突起１０ｂと当て板３８の間の接触面積が小さく、かつ滑り易いため、ハウジング１０と梁３０，３１は相互に規制されることなく自由に伸び縮みでき、ハウジング１０に歪みが生じない。従って、光学部品１〜８の位置精度に影響を与えない。また、ハウジング１０の加工精度がばらついて、仮にねじ用穴１０ａ近傍のハウジング厚みが異なっている場合であっても、ねじ３３の軸が傾いた状態でねじ留めされることが少なく、ハウジング１０が梁３０，３１に対して正規の位置からずれにくくなる。突起１０ｂが、加工精度のばらつきに応じて突起曲面の任意の位置で樹脂材３０ａや当て板３８に点接触するからである。
　【００１３】
　図４に示すように、走査光学ユニット２０を載せた梁３０，３１は、プリンタ本体のフレーム板２４，２５に橋渡して取り付けられている。
　図５に示すように、梁３０の端部には位置決め爪１００、舌部１０１及びねじ穴１０２が設けられている。一方、フレーム板２４には、位置決め用角穴１０５及びねじ穴１０６が設けられてる。梁３１及びフレーム板２５もそれぞれ梁３０及びフレーム板２４と同様の構造を有しているので説明は省略する。梁３０，３１の位置決め爪１００は、曲げ部分がなく、フレーム板２４，２５に設けられた角穴１０５に、図６に示すように、外側平面当たりで容易に上下方向の位置決めがされ、ねじ１０７をねじ穴１０６にねじ込んで留めることにより、梁３０，３１はフレーム板２４，２５に取り付けられる。そして、図７に示すように、フレーム板２４，２５が矢印ｂ方向の応力を受けると、舌部１０１の曲げ角度が前記応力に応じて変化し、走査光学ユニット２０が載っている梁３０，３１の本体部分は変形しないように設計されている。
　【００１４】
　［第２実施例、図８参照］
　図８に示した走査光学ユニット５０は、ねじ３３〜３５によって固定された箇所を結んで囲んだ三角形の拘束エリア６０の内側に光学部品を固定しない構造のものである。なお、第１実施例と走査光学ユニット２０と同一の部品及び同一の部分には同じ符号をしている。この走査光学ユニット５０は第１実施例の走査光学ユニット２０と同様の作用効果を奏する。
　【００１５】
　［他の実施例］
　本発明に係る走査光学ユニットは前記実施例に限定されるものではなく、その要旨の範囲内で種々に変形することができる。
　走査光学ユニットは、レーザダイオードを光源とするものに限定されるものではなく、ＬＥＤや蛍光灯を光源とするものであってもよい。
　【００１６】
　さらに、前記実施例においてハウジング１０のねじ用穴１０ａの上下開口縁部に設けた突起１０ｂの数や配置や形状は任意であり、例えば突起１０ｂをねじ用穴１０ａの開口縁部に環状に配置してもよい。
　また、振動源は、回転偏向器に限るものではなく、光学部品を移動させるためのモータ等を設けたプリンタ等においては、このモータ等も振動源として扱ってもよい。
　【００１７】
　【発明の効果】
　以上の説明で明らかなように、本発明によれば、振動源の光学系ハウジングに対する固定部が、光学系ハウジングを画像形成装置本体のハウジング取付部分に固定するための複数の固定箇所を結んで囲んだエリアの外側に設定されているので、振動源は片持ちばりに配置されたと同様の状態となり、振動源の振動に起因する他の光学部品の振動を減少させることができる。これにより、ピッチムラやジッタ等が画像に発生しなくなり、高品質の画質が得られる。
　【００１８】
　また、光学部品の振動が減少したことにより、走査光学ユニットから外に漏れる騒音も低くすることができる。
　さらに、振動源として回転偏向器を考えた場合、回転偏向器の振動に対する使用可能範囲を拡げることができ、従来のものより振動が大きいけれども安価な回転偏向器を採用することにより、画質を低下させることなく製造コストの減低を図ることができる。
【図面の簡単な説明】
　【図１】
　本発明に係る走査光学ユニットの第１実施例を示す平面図。
　【図２】
　図１に示した走査光学ユニットの断面図。
　【図３】
　図１に示した走査光学ユニットと梁の固定構造を示す断面図。
　【図４】
　図１に示した走査光学ユニットを画像形成装置本体に取付ける方法を示す斜視図。
　【図５】
　図４に示した梁とフレーム板の固定構造を示す斜視図。
　【図６】
　図４に示した梁とフレーム板の固定状態を、説明するための構成図。
　【図７】
　図４に示した梁とフレーム板の応力による変形を説明するための断面図。
　【図８】
　本発明に係る走査光学ユニットの第２実施例を示す平面図。
　【符号の説明】
　１…光源アッセンブリ
　２…シリンドリカルレンズ
　３…回転偏向器
　３ａ…回転軸
　５…ｆθレンズ
　６…長尺シリンドリカルレンズ
　７，８…折り返しミラー
　１０…ハウジング
　２０…走査光源ユニット
　３０，３１…梁
　３３，３４，３５…ねじ
　４０…拘束エリア
　５０…走査光学ユニット
　６０…拘束エリア